(57)【特許請求の範囲】
【請求項１】
密閉容器内部に、圧縮機構部と、この圧縮機構部を駆動するための電動機部と、この電動機部の回転力を前記圧縮機構部に伝達するクランク軸とを略水平方向に設置し、前記圧縮機構部に、密閉容器内部に溜められた潤滑油が、圧縮機構部の潤滑を必要とする部分を潤滑した後、再度、密閉容器内部に排出するための排出口を設け、前記排出口は圧縮機構部の電動機部側でクランク軸外周近傍に形成され、この排出口を円周方向外側から近接して包囲する様に、前記圧縮機構部と一体に形成された盛り上がりを設けるとともに、この盛り上がりの一部に切り欠き部分を設けた横置き密閉型電動圧縮機。
【請求項２】
盛り上がりの切り欠き部分を水平面より下方側の範囲内に設けた請求項１記載の横置き密閉型電動圧縮機。
【発明の詳細な説明】
【０００１】
【産業上の利用分野】
本発明は、冷暖房装置、あるいは冷蔵庫などの冷却装置に用いられる横置き密閉型電動圧縮機に関する。
【０００２】
【従来の技術】
従来の横置き密閉型電動圧縮機として、特開平第２−２６７３７９号公報に開示されている横置き密閉型電動スクロール圧縮機を例にとり、図面とともに説明する。
【０００３】
図４に示すように、密閉容器１０１の内部には、圧縮機構部１０２と、固定子１０３と回転子１０４とからなる電動機部１０５と、クランク軸１０６とが概ね水平方向に設置されている。また、密閉容器１０１の下部には、潤滑油溜１０７が設けられている。
【０００４】
上記構成において、電動機部１０５を駆動させると、回転子１０４と一体に回転するクランク軸１０６によって圧縮機構部１０２に回転力が伝達される。圧縮機構部１０２は、軸受部材１１０、固定スクロール１１１、旋回スクロール１１２、自転拘束部品１１３などとから構成されており、前記回転力が伝達されることにより、圧縮作用が発生する。
【０００５】
また、自転拘束部品１１３の一端には、ポンプ機構１０８が設けてあり、潤滑油溜１０７から汲み上げられた潤滑油は、圧縮機構部１０２の各摺動部分及びクランク軸１０６の副軸受部１１４などを潤滑した後、排出口１１５及び１１６から潤滑油溜１０７に排出される。
【０００６】
一方、クランク軸１０６には、このクランク軸１０６に作用する不釣合い力を打ち消すためのバランスウエイト１０９が設置されている。
【０００７】
【発明が解決しようとする課題】
しかしながら、上記のような構成では、圧縮機構部１０２からの潤滑油の排出口１１５及び１１６が、クランク軸１０６あるいはバランスウエイト１０９といった回転部あるいは回転部に近接したところに設けられているために、潤滑油が密閉容器１０１内部に飛散し、過剰の潤滑油が吸い込みガスとともに圧縮室内に吸い込まれ、圧縮機の能力を低下させたり、あるいは吐き出しガスとともに密閉容器１０１外部に吐き出されて、冷凍サイクル（図示せず）の能力低下や、密閉容器１０１内部の潤滑油不足による圧縮機構部１０２などの摺動部分の焼き付きなどの原因となっていた。
【０００８】
また、クランク軸１０６に設けられたバランスウエイト１０９は、クランク軸１０６とともに回転するので、排出口１１５及び１１６から排出された潤滑油の密閉容器１０１内部での飛散を増長させたり、あるいは潤滑油溜１０７の潤滑油を撹拌することによる抵抗のために、圧縮機の入力増加といった原因となっていた。
【０００９】
本発明は上記従来例の課題を解決するもので、密閉容器内部での潤滑油の飛散を抑制することにより、能力を安定化し、高信頼性の横置き密閉型電動圧縮機を提供することを目的とするものである。
【００１０】
【課題を解決するための手段】
上記課題を解決するための手段は、以下の通りである。
【００１１】
第１の手段は、密閉容器内部に、圧縮機構部と、この圧縮機構部を駆動するための電動機部と、この電動機部の回転力を前記圧縮機構部に伝達するクランク軸とを概ね水平方向に設置し、前記圧縮機構部に、密閉容器内部に溜められた潤滑油が、圧縮機構部の潤滑を必要とする部分を潤滑した後、再度、密閉容器内部に排出するための排出口を設け、前記排出口は圧縮機構部の電動機部側でクランク軸外周近傍に形成され、
この排出口を円周方向外側から近接して包囲する様に、前記圧縮機構部と一体に形成された盛り上がりを設けるとともに、この盛り上がりの一部に切り欠き部分を設けるものである。
【００１２】
第２の手段は、第１の手段に加えて、盛り上がりの切り欠き部分を水平面より下方側の範囲内に設けるものである。
【００１４】
【作用】
上記手段による作用は、以下の通りである。
【００１５】
第１の手段による作用は、圧縮機構部を潤滑した後の潤滑油を排出する排出口と対面するように、圧縮機構部と一体に形成された盛り上がりを円周方向に設けることにより、排出口から排出される潤滑油の密閉容器内部への飛散を抑制でき、加えて、前記盛り上がりの一部に切り欠き部分を設けることにより、潤滑油のほとんどを、この切り欠き部分から密閉容器内部の潤滑油溜に戻すことができる。
【００１６】
第２の手段による作用は、第１の手段による作用に加えて、盛り上がりの切り欠き部分を水平面より下方側の範囲内に設けることにより、排出口から排出される潤滑油を迅速かつ確実に潤滑油溜に戻すことができる。
【００１８】
【実施例】
以下、本発明の一実施例における密閉型電動圧縮機について、横置き密閉型電動スクロール圧縮機を例にとり、図１及び図２とともに説明する。
【００１９】
密閉容器１の内部には、圧縮機構部４と、この圧縮機構部４を駆動する電動機部１０と、この電動機部１０の回転力を前記圧縮機構部４に伝達し、軸受部材８及び副軸受部材１３とで回転自在に支承されたクランク軸９とが概ね水平方向に設置されている。前記電動機部１０は、固定子１１と、前記クランク軸９に焼嵌などの方法で固定された回転子１２とから構成されている。また、クランク軸９には、バランスウエイト２６が形成されている。
【００２０】
吸い込み管２から吸い込まれた低圧冷媒ガスは、旋回スクロール５、固定スクロール６、自転拘束部品７、及び軸受部材８から構成される圧縮機構部４の吸い込み口１４を経て吸い込まれ、圧縮された後、高圧冷媒ガスとなり、吐き出し口１５から密閉容器１の吐き出し側空間１６側へ吐き出される。そして、圧縮機構部４の外周に設けられた連通孔１７を通り、電動機部１０の設置された電動機部側空間１８へ吐き出される。その後、高圧冷媒ガスは、吐き出し管３から密閉容器１の外部へ吐き出され、冷凍サイクル（図示せず）で熱交換を行った後、再び吸い込み管２から低圧冷媒ガスとなって吸い込まれる。
【００２１】
一方、密閉容器１の内部に設けられた潤滑油溜１９には、潤滑油が溜められている。この潤滑油は、クランク軸９の一端に設置されたポンプ装置２０によって汲み上げられた後、クランク軸９に設けられた通路２１を通って、圧縮機構部４の潤滑を必要とする部分を潤滑した後、圧縮機構部４に設けられた排出口２２から排出される。
【００２２】
排出口２２から排出された潤滑油は、排出口２２が軸受部材８とクランク軸９のつば２３との間に設けられており、しかもクランク軸９が回転しているので、その遠心力によって密閉容器１内部に飛散しようとする。ところが、前記排出口２２と対面するように、圧縮機構部４と一体に形成された盛り上がり２４を円周方向に設けているので、潤滑油は、この盛り上がり２４の内壁面に衝突する。そして、盛り上がり２４の一部に設けられた切り欠き部分２５から潤滑油溜１９に戻される。
【００２３】
本発明の第２の実施例では、図３に示すように、クランク軸９と一体に回転可能な回転子１２の外周面２７を前記クランク軸９に形成されたバランスウエイト２６を覆う長さまで延長している。これにより、圧縮機の運転条件などにより、潤滑油溜１９の液面がバランスウエイト２６の高さまで上昇しても、バランスウエイト２６によって潤滑油溜１９を撹拌するようなことはない。また、排出口２２から排出された潤滑油の飛散をバランスウエイト２６によって増長させるようなことはない。
【００２４】
なお、上記説明では、第１及び第２の別の実施例として説明したが、これらを組み合わせた実施例も本発明に含まれることは言うまでもない。
【００２５】
【発明の効果】
本発明による効果は、以下の通りである。
【００２６】
第１の発明による効果は、潤滑油を排出する排出口と対面するように、圧縮機構部と一体に形成された盛り上がりを円周方向に設けることにより、排出口から排出される潤滑油の密閉容器内部への飛散を抑制でき、加えて、前記盛り上がりの一部に切り欠き部分を設けることにより、潤滑油のほとんどを、この切り欠き部分から密閉容器内部の潤滑油溜に戻すことができる。従って、多量の潤滑油が高圧冷媒ガスとともに圧縮機から吐き出されることはなく、圧縮機及び冷凍サイクルの能力を安定することができる。
【００２７】
第２の発明による効果は、第１の発明による効果に加えて、盛り上がりの切り欠き部分を水平面より下方側の範囲内に設けることにより、排出口から排出される潤滑油を迅速かつ確実に潤滑油溜に戻すことができる。従って、潤滑油が排出口から潤滑油溜に戻るまで距離が極めて短くなり、潤滑油の飛散を防ぎ、しかも常に潤滑油溜の液面を安定した状態にすることができ、摺動部分の焼き付きなどがなく、圧縮機の信頼性を向上することができる。
【００２９】
以上説明したように、本発明によれば、密閉容器内部での潤滑油の飛散を抑制でき、高効率かつ高信頼性の横置き密閉型電動圧縮機を提供することができる。
【図面の簡単な説明】
【図１】本発明の一実施例における横置き密閉型電動スクロール圧縮機の断面図
【図２】本発明の一実施例における横置き密閉型電動スクロール圧縮機の要部斜視図
【図３】本発明の別の実施例における横置き密閉型電動スクロール圧縮機の要部断面図
【図４】従来からあるスクロール圧縮機の断面図
【符号の説明】
１  密閉容器
４  圧縮機構部
８  軸受部材
９  クランク軸
１２  回転子
１９  潤滑油溜
２２  排出口
２４  盛り上がり
２５  切り欠き部分
２６  バランスウエイト
２７  外周面
【図１】
0003591048.tif 000002
【図２】
0003591048.tif 000003
【図３】
0003591048.tif 000004
【図４】
0003591048.tif 000005